(57)【要約】【課題】簡単に入手でき、かつ顕著な模様を有する植物を用いた装飾品を提供する。【解決手段】第１のコサージュ１は花を模ったものであり、環状に配置した複数枚の模造花びら３と、この模造花びら３の裏側に環状に配置した複数枚の模造の葉５、７、９と、模造花びら３の中心に設けたプラスチック製のビーズ１１と、裏側に固定したコサージュピンと、を備えている。模造花びら３及び模造の葉５、７を孟宗竹の筍の皮を用いて形成する。【選択図】図１
2014218753.tif 000002
【特許請求の範囲】
【請求項１】
花びら、花芯、がく又は葉を模った装飾部を有する装飾品であって、
前記装飾部の少なくとも一部は孟宗竹の筍の皮を用いて形成されていることを特徴とする装飾品。
【請求項２】
前記筍の皮には燻煙されたものが含まれていることを特徴とする請求項1記載の装飾品。
【請求項３】
前記筍の皮には竹酢液が付けられたものが含まれていることを特徴とする請求項１又は２記載の装飾品。
【請求項４】
花びら、がく又は葉を模った装飾部を有する装飾品の製造方法であって、
乾燥した孟宗竹の筍の皮を準備する準備工程と、準備した前記筍の皮を水に浸してから花びら、がく又は葉の型紙に沿って切断する切断工程と、切断した前記筍の皮をコテでカールさせて花びら、がく又は葉の形に整える整形工程と、を備え、
花びら、がく又は葉の形に整えられた前記筍の皮を用いて前記装飾部を形成し、前記装飾品を製造することを特徴とする装飾品の製造方法。
【請求項５】
準備した前記筍の皮には燻煙したものが含まれていることを特徴とする請求項４記載の装飾品の製造方法。
【請求項６】
準備した前記筍の皮には竹酢液が付けられたものが含まれていることを特徴とする請求項４又は５記載の装飾品の製造方法。
【請求項７】
花芯を模った装飾部を有する装飾品の製造方法であって、
乾燥した孟宗竹の筍の皮を準備する準備工程と、準備した前記筍の皮を水に浸し、この筍の皮から矩形状の花芯用の片を切断する切断工程と、切断した前記花芯用の片に多数の縦方向の切り込みを入れる切り込み工程と、切り込みが入れられた前記花芯用の片を横方向に巻いて保持する整形工程と、巻かれた前記花芯用の片の前記切り込みが入れられた部分に、準備した前記筍の皮を細かく切り刻んで形成した模造の花粉を付着させる花粉付着工程と、を備え、
花芯の形に整えられ、摸造の花粉が付着した前記筍の皮を用いて前記装飾部を形成し、前記装飾品を製造することを特徴とする装飾品の製造方法。
【請求項８】
筍の皮から模造花びら片、模造のがくの片又は模造の葉の片を切り出すために使用される型紙であって、
切り出された模造花びら片、模造のがくの片又は模造の葉の片のコテを当てる位置が表示されていることを特徴とする型紙。
【発明の詳細な説明】
【技術分野】
【０００１】
本発明は、花の形をしたコサージュや造花などの、花びら、花芯、がく又は葉を模った装飾部を有する装飾品に関する。
【背景技術】
【０００２】
造花は紙や不織布によって形成されることが多いが、自然の外観又は趣をかもし出せるように実際の植物を使用したものも製造されていて、例えば特許文献１にはひのきを製材する際に発生するかんな屑を用いた造花が開示されている。
【先行技術文献】
【特許文献】
【０００３】
【特許文献１】特開２００５−８９９６２号公報
【発明の概要】
【発明が解決しようとする課題】
【０００４】
しかしながら、特許文献１記載の造花に使用されるひのきのかんな屑はそれ程入手が容易ではない。しかも、適切な厚さのかんな屑となると大量の入手は一層困難である。したがって、このようなひのきのかんな屑を用いた造花はコストの高いものとなる。また、ひのきのかんな屑は表面も裏面も全体的に単純なクリーム色をしているので、ひのきのかんな屑を使用した造花は、自然の外観又は趣をある程度かもし出すことができたとしても面白味に欠けたものとなる。
【０００５】
そこで本発明は、簡単に入手でき、かつ顕著な模様を有する植物を用いた装飾品を提供するとともに、このような装飾品の効果的な製造方法と製造の際に使用する型紙とを提供することを目的とする。
【課題を解決するための手段】
【０００６】
この目的を達成するための本発明の装飾品は、花びら、花芯、がく又は葉を模った装飾部を有する装飾品であって、前記装飾部の少なくとも一部又は主要部は孟宗竹の筍の皮を用いて形成されているものである。筍の皮は例えば5月から６月にかけて簡単かつ大量に収集可能である。筍の皮は水分を含ませることにより整形が容易となり、例えば自然な膨らみを与えることができるものである。筍の皮は、裏面は肌色又は薄い黄土色だが、表面には顕著な斑点模様を備えている。また、筍の皮は、薄いものや厚いもの、色の薄いものや濃いものなどがあり変化に富んでいるので、例えば花等の種類に応じて適切なものを使用して趣味性を高めることもできる。さらに、筍の皮にはフリル状（蛇腹状）の部分があり、このフリル状の部分の使用により趣味性をさらに高めることもできる。筍の皮を燻煙すれば、自然の外観又は趣を失わずに比較的濃い茶色又は濃い茶色の色合いのものとすることができる。筍の皮に竹酢液を付けておけば、生き生きとした明るい肌色の色合いのものとなる。装飾部に用いられる筍の皮がすべて、燻煙されたものであったり、竹酢液が付けられたものであってもよい。
【０００７】
また、この目的を達成するための本発明の装飾品の製造方法は、花びら、がく又は葉を模った装飾部を有する装飾品の製造方法であって、乾燥した孟宗竹の筍の皮を準備する準備工程と、準備した前記筍の皮を水に浸してから花びら、がく又は葉の型紙に沿って切断する切断工程と、切断した前記筍の皮をコテでカールさせて花びら、がく又は葉の形に整える整形工程と、を備え、花びら、がく又は葉の形に整えられた前記筍の皮を用いて前記装飾部を形成し、前記装飾品を製造するものである。準備する筍の皮には予め燻煙したものや竹酢液が付けられたものを含めることができる。準備する筍の皮がすべて、燻煙されたものであったり、竹酢液が付けられたものであってもよい。あるいは、この目的を達成するための本発明の装飾品の製造方法は、花芯を模った装飾部を有する装飾品の製造方法であって、乾燥した孟宗竹の筍の皮を準備する準備工程と、準備した前記筍の皮を水に浸し、この筍の皮から矩形状の花芯用の片を切断する切断工程と、切断した前記花芯用の片に多数の縦方向の切り込みを入れる切り込み工程と、切り込みが入れられた前記花芯用の片を横方向に巻いて保持する整形工程と、巻かれた前記花芯用の片の前記切り込みが入れられた部分に、準備した前記筍の皮（例えば水に浸したもの）を細かく切り刻んで形成した模造の花粉を付着させる花粉付着工程と、を備え、花芯の形に整えられ、摸造の花粉が付着した前記筍の皮を用いて前記装飾部を形成し、前記装飾品を製造するものである。
【０００８】
そして、この目的を達成するための本発明の型紙は、筍の皮から模造花びら片、模造のがくの片又は模造の葉の片を切り出すために使用される型紙であって、切り出された模造花びら片、模造のがくの片又は模造の葉の片のコテを当てる位置が表示されているものである。コテは、模造花びら片、模造のがくの片又は模造の葉の片をカールさせるためなどに使用される。
【発明の効果】
【０００９】
本発明によれば、低コストでデザイン性に優れた装飾品を提供できる。
【図面の簡単な説明】
【００１０】
【図１】本発明に係る装飾品としてのコサージュを示す図である。
【図２】筍の皮の保管態様を説明する図である。
【図３】燻煙器を示す図である。
【図４】筍の皮を切断するときの前処理作業を示す図である。
【図５】筍の皮を型紙にしたがって切断する場合を示す図である。
【図６】筍の皮を整形する場合を示す図である。
【図７】ビーズ部分の構成を示す図である。
【図８】本発明に係る装飾品としての造花を示す図である。
【図９】本発明に係る装飾品としての第２のコサージュの構成を説明する。
【図１０】模造の花芯の製作方法を示す図である。
【図１１】竹酢液に浸けてから保管した筍の皮及びこのような筍の皮を用いた造花、そのまま保管した筍の皮及びこのような筍の皮を用いた造花並びに燻煙して保管した筍の皮及びこのような筍の皮を用いた造花を並べて示す図面代用写真である。
【発明を実施するための形態】
【００１１】
以下、図面を参照して本発明の実施の形態を説明する。
【００１２】
まず、図１を参照して本発明に係る装飾品としての第１のコサージュの構成を説明する。
【００１３】
第１のコサージュ１は花を模ったものであり、環状に配置された複数枚の模造花びら３と、この模造花びら３の裏側に環状に配置された複数枚の模造の葉５、７、９と、模造花びら３の中心に設けられたプラスチック製のビーズ１１と、裏側に固定されたコサージュピン（図示せず）と、を備えている。模造花びら３は孟宗竹の筍の皮を用いて形成されている。模造の葉５、７も孟宗竹の筍の皮を用いて形成されているが、模造花びら３とは異なり着色されている。なお、具体的には、模造花びら３のうち２枚は斑点模様を有する表面が表側となるように配置され、３枚は無地の裏面が表側となるように配置されている。模造の葉５は斑点模様を有する表面が表側となるように配置され（筋目が付けられたものと付けられていないものとがある）、模造の葉７は無地の裏面が表側となるように配置されている（筋目が付けられたものと付けられていないものとがある）。また、模造の葉９は布製である。
【００１４】
次に、図２乃至図７を参照して模造花びら３及び模造の葉５、７の製作方法を説明する。
【００１５】
模造花びら３及び模造の葉５、７に使用する孟宗竹の筍の皮は、例えば、筍が竹に成長する５月下旬から６月初めにかけて収集する。この時期には、筍の皮が竹からめくり落ちそうになっていたり、地面に落ちていたりするので、傷付けることなく容易に多くの筍の皮を収集できる。収集した筍の皮は、蒸れないように紙袋に入れて移動させ、風通しを良くして乾燥させる。収集した筍の皮は下側にフリル部分を有しているのが好ましい。
【００１６】
乾燥させた筍の皮は、汚れなどを落とすために表裏両面を水洗いする。筍の皮の表面には縦の筋目に沿って上向きに細かい毛が生えているので、筍の皮の表面の水洗いは、縦の筋目に沿って上向きに水を流してこの細かい毛を洗い流すように行うのが好ましい。水洗いした筍の皮は再びよく乾燥させる。図２に示すように、乾燥した筍の皮１３の一部は燻煙して保管する。燻煙は図３に概念的に示すような燻煙器１５を用いて行う。燻煙器１５は、内部に竹１７を立てた状態で収容する加熱室１９と、この加熱室１９を加熱するためのかまど２１と、例えば網状である載置プレート２３を内部に有し、排気孔又は排気筒２５が設けられた燻煙室２７と、加熱室１９内で竹１７が焼け、炭になる過程で生じる煙を燻煙室２７の載置プレート２３の下側に導く煙導管２９と、を備えていて、燻煙室２７の載置プレート２３上に筍の皮１３を載置し、加熱室１９で発生した煙で筍の皮１３を燻す。燻煙器１５は竹１７が燃えないで炭になるように構成されている。また、図２に示すように、乾燥した筍の皮１３の一部は竹酢液に浸けてから乾燥させて保管する。使用する竹酢液は、例えば燻煙器１５で抽出したものを使用することができる。図２に示すように、残りの乾燥した筍の皮１３はそのまま保管する。
【００１７】
保管した筍の皮１３から模造花びら３や模造の葉５、７を形成又は製作するには、まず、使用する筍の皮１３を取り出し又は準備し、図４に示すように筍の皮１３を５分程水に浸し（図４ａ）、水から取り出して濡れタオル３１でくるみ、１０分程くるんだ状態にしておく（図４ｂ）。次に、濡れタオル３１から必要な枚数だけ筍の皮１３を取り出し、図５に示すように、花びらや葉の型紙３３（型紙３３は花びらの型紙や葉の型紙を概略的又は包括的に示している）を筍の皮１３にあてがい（図５ａ）、型紙３３に沿って筍の皮１３を切断して花びら片や葉の片３５を切り出す（図５ｂ）。型紙３３としては、筍の皮１３の一方側面（例えば表面）からコテを当てるべき部分３７、３９が実線で示され、他方側面（例えば裏面）からコテを当てるべき部分４１、４３が破線で示されているものを使用することができる。ここではさらに、丸ごてを当てる部分３７は円形で示され、弁ごてを当てる部分３９、４１は楕円形で示され、へり返しごてを当てる部分は細長い領域４３で示されている。また、筋ごてを当てて形成すべき筋目４５が表示されたものを用いることもできる（図５ｃ）。ここでも、筍の皮１３の一方側面からコテ（筋ごて）を当てる部分は実線で表示され、筍の皮１３の他方側面からコテを当てる部分は破線で示されている。
【００１８】
筍の皮１３を切断して花びら片や葉の片３５を切り出したら、図６に示すように、型紙３３に表示された実線部分３７、３９や破線部分４１、４３に対応してコテ（電気ごて）を筍の皮１３に押し当てて筍の皮１３を擦り、筍の皮１３をカールさせる。実線部分３７には丸ごて４７が使用され（図６ａ）、実線部分３９や破線部分４１には弁ごて４９が使用され（図６ｂ）、破線部分４３にはへり返しごて５１が使用される（図６ｃ）。筍の皮１３は凹凸構造を有し、縦の筋目（筍の皮の筋目）に沿ってだけでなく、縦の筋目を横切るようにも湾曲させることができるので、期待したとおりの湾曲形状、膨らみ形状又はカール形状を得ることができる。型紙３３に、形成すべき筋目４５が表示されている場合には、表示された筋目４５に対応して筋ごて５３を筍の皮１３に押し当てて筍の皮１３を擦り、筋目を形成する（図６ｄ）。このようにして、模造花びら３や模造の葉５、７を形成する。なお、図６の各工程は適当な順序で実施することができる。また、カールや筋目の形成は切り出した花びら片や葉の片３５が湿り気を帯びているうちに行うのが得策である。模造花びら３は、そのまま保管した筍の皮１３、燻煙して保管した筍の皮１３又は竹酢液に浸けてから保管した筍の皮１３のいずれを用いて形成してもよいし、そのまま保管した筍の皮１３、燻煙して保管した筍の皮１３又は竹酢液に浸けてから保管した筍の皮１３を２種又は３種混合して形成してもよい。また、模造の葉５、７はここでは着色されているが、着色は、そのまま保管した筍の皮１３を用いて葉の片３５を切り出してからアートフラワー用染料を用いて行う。そして、模造の葉９は適当な色の布を用いて形成する。なお、使用しなかった筍の皮１３や花びら片、葉の片３５を切り出した後に残った筍の皮１３は乾燥させて再利用できる。
【００１９】
製作された模造花びら３及び模造の葉５、７、９は、ワイヤー５５が設けられたビーズ１１（図７参照）の周りに取り付けられる。ワイヤー５５は適当な長さに折り畳まれ、テープ５７が巻かれる（図１参照）。コサージュピンはこのワイヤー５５に取り付けられる。このようにして図１に示す第１のコサージュ１が製造される。
【００２０】
図８を参照して本発明に係る装飾品として造花の構成を説明する。
【００２１】
造花５９は、模造の茎６１と、この模造の茎６１の先端部に重なり合って設けられた複数枚の模造花びら６３と、この模造花びら６３の下側に環状に配置された複数枚の模造のがく６５と、模造花びら６３の下側で模造の茎６１に取り付けられた模造の葉６７と、を備えている。具体的には、模造花びら６３のうち２枚は斑点模様を有する表面が内側となるように配置され、その他の模造花びら６３は無地の裏面が内側となるように配置されている。模造のがく６５は、斑点模様を有する表面が外側となるように配置され、模造の葉６７は無地の裏面が内側となるように配置されている。
【００２２】
ここでは、模造花びら６３、模造のがく６５及び模造の葉６７は、図２に示す竹酢液に浸けてから保管した筍の皮１３を用いて形成されている。保管した筍の皮１３から模造花びら６３、模造のがく６５及び模造の葉６７を形成するには、まず、使用する筍の皮１３を取り出し又は準備し、図４に示すように、筍の皮１３を５分程水に浸し（図４ａ）、水から取り出して濡れタオル３１でくるみ、１０分程くるんだ状態にしておく（図４ｂ）。次に、濡れタオル３１から必要な枚数の筍の皮１３を取り出し、図５に示すように、花びら、がく又は葉の型紙３３（ここでの型紙３３は花びらの型紙、がくの型紙又は葉の型紙を概略的又は包括的に示している）を筍の皮１３にあてがい（図５ａ）、型紙３３に沿って筍の皮１３を切断して花びら片、がくの片及び葉の片３５を切り出す（図５ｂ）。そして、図６に示すようにコテを用いて花びら片、がくの片及び葉の片３５をカールさせたり、花びら片、がくの片及び葉の片３５に筋目を付けたりする。
【００２３】
製作された模造花びら６３、模造のがく６５及び模造の葉６７は、模造の茎６１に取り付けられる。模造の茎６１はワイヤーにテープ６９を巻いて形成される。このようにして図８に示す造花５９が製造される。
【００２４】
図９を参照して本発明に係る装飾品としての第２のコサージュの構成を説明する。
【００２５】
第２のコサージュ７１も花を模ったものであり、環状に配置された複数枚の模造花びら７３と、模造花びら７３の中心に設けられた模造の花芯７５と、裏側に固定されたコサージュピン（図示せず）と、を備えている。模造花びら７３は孟宗竹の筍の皮を用いて形成され、模造の花芯７５も孟宗竹の筍の皮を用いて形成されている。なお、具体的には、模造花びら７３のうち２枚は斑点模様を有する表面が表側となるように配置され、３枚は無地の裏面が表側となるように配置されている。
【００２６】
模造花びら７３は模造花びら３と同様に形成することができる。また、保管した筍の皮１３から模造の花芯７５を形成又は製作するには、まず、使用する筍の皮１３を取り出し又は準備し、図４に示すように筍の皮１３を５分程水に浸し（図４ａ）、水から取り出して濡れタオル３１でくるみ、１０分程くるんだ状態にしておく（図４ｂ）。次に、濡れタオル３１から必要な枚数だけ筍の皮１３を取り出し、図１０に示すように、長方形状の花芯用の片７７（竹酢液に付けた筍の皮）を切り出し、切り出した花芯用の片７７の一方の長辺縁から短辺方向の中央まで延びるように縦方向の切れ目７９を多数形成する（図１０ａ）。
そして、花芯用の片７７をワイヤー８１を中心として横方向に巻く（図１０ｂ）。また一方で、濡れタオル３１から取り出した筍の皮１３を細かく切り刻み、模造の花粉８３（そのまま保管した筍の皮）を形成しておき（図１０ｃ）、この模造の花粉８３を、巻き終えて例えば接着剤で保持された花芯用の片７７の切れ目７９が形成された部分に接着剤で付着させ、切れ目７９が形成された部分を適当に開かせるなど変形させて模造の花芯７５を製作する（図１０ｄ）。そして、摸造の花芯７５の周りに摸造花びら７３を取り付け、ワイヤー８１を適当な長さに折り畳み、テープを巻いて第２のコサージュ７１が製造される。コサージュピンはワイヤー８１に取り付けられる。
【００２７】
図１１は、竹酢液に浸けてから保管した筍の皮１３及びこのような筍の皮１３を用いた造花、そのまま保管した筍の皮１３及びこのような筍の皮１３を用いた造花並びに燻煙して保管した筍の皮１３及びこのような筍の皮１３を用いた造花を並べて示す図面代用写真であり、この図面代用写真のカラー写真原本は本書と同時に物件提出書で提出されている。図から理解できるように、中央に配置されて示されている、そのまま保管した筍の皮１３を用いたものは、斑点模様がユニークな自然の外観又は趣の造花に仕上がっているが、左側に配置されて示されている、竹酢液に浸けてから保管した筍の皮１３を用いたものは、中央のものと比較して生き生きとした明るい肌色の色合いを有する造花に仕上がり、右側に配置されて示されている、燻煙して保管した筍の皮１３を用いたものは、中央のものと比較して穏やかな茶色の色合いを有する造花に仕上がっている。
【産業上の利用可能性】
【００２８】
本発明の装飾品は、家庭的にも商業的にも利用することができるものである
【符号の説明】
【００２９】
１              第１のコサージュ（装飾品）
３              模造花びら（装飾部）
５、７、９      模造の葉（装飾部）
５９            造花（装飾品）
６３            模造花びら（装飾部）
６５            模造のがく（装飾部）
６７            模造の葉（装飾部）
７１            第２のコサージュ（装飾品）
７３            模造花びら（装飾部）
７５            模造の花芯（装飾部）
【図１】
2014218753.tif 000003
【図２】
2014218753.tif 000004
【図３】
2014218753.tif 000005
【図４】
2014218753.tif 000006
【図５】
2014218753.tif 000007
【図６】
2014218753.tif 000008
【図７】
2014218753.tif 000009
【図８】
2014218753.tif 000010
【図９】
2014218753.tif 000011
【図１０】
2014218753.tif 000012
【図１１】
2014218753.tif 000013
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
花びらを模った立体的な装飾部又は花びら及び葉を模った立体的な装飾部を有する装飾品であって、
前記装飾部の少なくとも一部は孟宗竹の筍の皮を用いて形成され、
前記筍の皮には燻煙されたものが含まれていることを特徴とする装飾品。
【請求項２】
花びらを模った立体的な装飾部又は花びら及び葉を模った立体的な装飾部を有する装飾品であって、
前記装飾部の少なくとも一部は孟宗竹の筍の皮を用いて形成され、
前記筍の皮には竹酢液に浸すことにより竹酢液が付けられたものが含まれていることを特徴とする装飾品。
【請求項３】
花びらを模った立体的な装飾部又は花びら及び葉を模った立体的な装飾部を有する装飾品の製造方法であって、
乾燥した孟宗竹の筍の皮を準備する準備工程と、準備した前記筍の皮を水に浸してから花びらの型紙又は花びら及び葉の型紙に沿って切断する切断工程と、切断した前記筍の皮をコテでカールさせて花びらの形又は花びら及び葉の形に整える整形工程と、を備え、
準備した前記筍の皮には燻煙したものが含まれていて、
花びらの形に整えられた前記筍の皮又は花びら及び葉の形に整えられた前記筍の皮を用いて立体的な前記装飾部を形成し、前記装飾品を製造することを特徴とする装飾品の製造方法。
【請求項４】
花びらを模った立体的な装飾部又は花びら及び葉を模った立体的な装飾部を有する装飾品の製造方法であって、
乾燥した孟宗竹の筍の皮を準備する準備工程と、準備した前記筍の皮を水に浸してから花びらの型紙又は花びら及び葉の型紙に沿って切断する切断工程と、切断した前記筍の皮をコテでカールさせて花びらの形又は花びら及び葉の形に整える整形工程と、を備え、
準備した前記筍の皮には竹酢液に浸すことにより竹酢液が付けられたものが含まれていて、
花びらの形に整えられた前記筍の皮又は花びら及び葉の形に整えられた前記筍の皮を用いて立体的な前記装飾部を形成し、前記装飾品を製造することを特徴とする装飾品の製造方法。
【請求項５】
前記切断工程では、前記筍の皮を水に浸してから濡れタオルでくるみ、その後、花びらの型紙又は花びら及び葉の型紙に沿って切断することを特徴とする請求項３又は４記載の装飾品の製造方法。
【請求項６】
花芯を模った立体的な装飾部を有する装飾品の製造方法であって、
乾燥した孟宗竹の筍の皮を準備する準備工程と、準備した前記筍の皮を水に浸し、この筍の皮から矩形状の花芯用の片を切断する切断工程と、切断した前記花芯用の片に多数の縦方向の切り込みを入れる切り込み工程と、切り込みが入れられた前記花芯用の片を横方向に巻いて保持する整形工程と、巻かれた前記花芯用の片の前記切り込みが入れられた部分に、準備した前記筍の皮を細かく切り刻んで形成した模造の花粉を付着させる花粉付着工程と、を備え、
花芯の形に整えられ、摸造の花粉が付着した前記筍の皮を用いて立体的な前記装飾部を形成し、前記装飾品を製造することを特徴とする装飾品の製造方法。